(57)【要約】【課題】ファインダー装置内に発光表示部として有機ＥＬ素子を配置するとき、ファインダー装置の部品点数を減らすと共に、透過率を向上させる。【解決手段】有機ＥＬ素子２０は、ファインダー装置内の被写体からの光が通過する光路上に設ける。有機ＥＬ素子２０は、透明基板２１と、透明基板２１に対向して設けられる封止部材２２と、透明基板２１と封止部材２２の間に配置される有機ＥＬ層２７とを備える。封止部材２２の上面２２Ｕを拡散面として形成する。封止部材２２の下面２２Ｄをフレネルレンズ構造にする。これにより、有機ＥＬ素子２０に焦点板とフレネルレンズの機能を持たせる。【選択図】図２
2008010317.tif 000002
【特許請求の範囲】
【請求項１】
透明基板と、有機発光材料を含み、前記透明基板の一方の面の上に配置される有機ＥＬ層と、透明材料から形成され、前記透明基板に対向して設けられるとともに、前記透明基板との間に前記有機ＥＬ層を配置させ有機ＥＬ層を封止する封止部材とを備え、光束を前記封止部材及び透明基板を介して透過可能な有機エレクトロルミネセンス素子であって、
前記透明基板の前記一方の面の反対側の面、前記封止部材の前記透明基板に対向する対向面、及び前記封止部材の対向面の反対側の面のうち、いずれか一面が前記光束を集光させるために正のパワーを有するとともに、他の一面が前記光束を拡散するための拡散面であることを特徴とする有機エレクトロルミネセンス素子。
【請求項２】
前記いずれか一面は、フレネルレンズ構造として形成されることを特徴とする請求項１に記載の有機エレクトロルミネセンス素子。
【請求項３】
前記いずれか一面及び他の一面それぞれは、モールド成型、若しくはエッチング加工によって形成され、光学部材が接着されて形成され、又は透明材料が固着されて一体的に形成されることを特徴とする請求項１に記載の有機エレクトロルミネセンス素子。
【請求項４】
プリズムの一面の上に配置され、有機発光材料を含む有機ＥＬ層と、透明材料から形成され、前記プリズムの一面に対向して設けられるとともに、前記一面との間に前記有機ＥＬ層を配置させ有機ＥＬ層を封止する封止部材とを備え、前記封止部材を透過して、前記プリズムの一面に光束が入射可能な有機エレクトロルミネセンス素子。
【請求項５】
前記封止部材の前記プリズムの一面に対向する対向面、及び前記封止部材の前記対向面の反対側の面のうち、一方の面が前記光束を集光させるために正のパワーを有するとともに、他方の面が前記光束を拡散するための拡散面であることを特徴とする請求項４に記載の有機エレクトロルミネセンス素子。
【請求項６】
請求項１乃至５のいずれか１項に記載された有機エレクトロルミネセンス素子が、被写体から反射された光束を通過させファインダー窓に導く光路を交差するように配置されることを特徴とするファインダー装置。
【発明の詳細な説明】
【技術分野】
【０００１】
本発明は、ファインダー装置に好適に使用される有機エレクトロルミネセンス素子に関する。
【背景技術】
【０００２】
従来、一眼レフカメラ等のファインダー装置において、拡散面とフレネルレンズ構造が各面に形成されたピント板と、ペンタプリズムとの間の被写体結像位置近傍に有機エレクトロルミネセンス素子（以下、有機ＥＬ素子という）から成る発光表示部が配置されることが知られている。本装置においては、有機ＥＬ素子が発光させられることにより、ファインダー内にフレーム枠を表示させたり、シャッター速度、フィルム感度、絞り値等の文字情報を表示させたりすることができる（特許文献１、２参照）。
【特許文献１】特許第３５３９２５１号公報
【特許文献２】特開２０００−２２１５７８号公報
【発明の開示】
【発明が解決しようとする課題】
【０００３】
しかし、ペンタプリズムとピント板の間に発光表示部が配置されると、ペンタプリズムとピント板の距離が長くなってしまい、ファインダー装置が大型化してしまうおそれがある。
【０００４】
また、有機ＥＬ素子は、有機発光層を積層するための透明基板と、有機発光層を封止するための封止部材が必要とされるが、光路上に透明基板、封止部材を挿入すると、ファインダーに入射される光の透過効率が低下し、ファインダーで観察される被写体像の光量が減少するおそれがある。さらに、被写体像が結像する拡散面と有機ＥＬ素子の発光点との間隔が長くなるので、それを観察する目のピント位置が双方で異なるために、被写体の像と表示情報とのいずれかがボケて(ピントがずれて)観察されるおそれがある。
【０００５】
そこで、本発明は、これら問題点に鑑みてなされたものであり、ファインダー装置の光路上に配置される有機ＥＬ素子であって、ファインダー装置の大型化、及びファインダーで観察される被写体像の光量不足や表示情報のボケを防止することができる有機ＥＬ素子を提供することを目的とする。
【課題を解決するための手段】
【０００６】
本発明に係る有機ＥＬ素子は、透明基板と、有機発光材料を含み、透明基板の一方の面の上に配置される有機ＥＬ層と、透明材料から形成され、透明基板に対向して設けられるとともに、透明基板との間に有機ＥＬ層を配置させ有機ＥＬ層を封止する封止部材とを備え、光束を封止部材及び透明基板を介して透過可能な有機エレクトロルミネセンス素子である。そして、透明基板の一方の面の反対側の面、封止部材の透明基板に対向する対向面、及び封止部材の対向面の反対側の面のうち、いずれか一面が光束を集光させるために正のパワーを有するとともに、他の一面が光束を拡散するための拡散面であることを特徴とする。
【０００７】
いずれか一面は、フレネルレンズ構造として形成されることが好ましく、これにより有機ＥＬ素子の厚みを小さくすることができる。上記いずれか一面及び他の一面それぞれは、例えばモールド成型、若しくはエッチング加工によって形成され、光学部材が接着されて形成され、又は透明材料が固着されて一体的に形成されることが好ましい。
【０００８】
本発明に係る有機ＥＬ素子は、プリズムの一面の上に配置され、有機発光材料を含む有機ＥＬ層と、透明材料から形成され、プリズムの一面に対向して設けられるとともに、プリズムの一面との間に有機ＥＬ層を配置させ有機ＥＬ層を封止する封止部材とを備え、封止部材を透過して、プリズムの一面に光束が入射可能であることを特徴とする。
【０００９】
封止部材のプリズムの一面に対向する対向面、及び封止部材の対向面の反対側の面のうち、一方の面が光束を集光させるために正のパワーを有するとともに、他方の面が光束を拡散するための拡散面であることが好ましい。
【００１０】
本発明に係るファインダー装置は、上記有機ＥＬ素子が、被写体から反射された光束を通過させファインダー窓に導く光路を、交差するように配置されることを特徴とする。
【発明の効果】
【００１１】
本発明においては、有機ＥＬ素子に焦点板及びフレネルレンズとしての機能を持たせたため、有機ＥＬ素子をファインダー装置に適用した場合に、ピント板を別部材として設ける必要がなく、ファインダー装置の部品点数を減少させ、小型化を図ることができる。また、ファインダー装置において、観察者に観察される光束の通過する光学部材の数が少なくなるので、観察画像の光量減少を抑えることができる。また、ファインダー内のピントズレを減少させられる。
【発明を実施するための最良の形態】
【００１２】
以下本発明の実施形態について図面を用いて詳細に説明する。
図１は、本実施形態が適用された一眼レフカメラのファインダー装置を示す。なお、以下の説明においては、一眼レフカメラに適用された場合を説明するが、本発明は、顕微鏡、コンパクトカメラ等のその他の光学機器にも適用することが可能である。
【００１３】
ファインダー装置１０において、発光表示部１６はペンタプリズム１４の下面１４Ｄ（すなわち入射面）に対向し、被写体からの光束が通過する光路に交差する横断領域上に配置される。発光表示部１６は有機ＥＬ素子から構成されるとともに、後述するように焦点板及びフレネルレンズの機能も兼ねる。接眼レンズ１５はペンタプリズム１４の背面に形成された出射面１４Ｂに対向している。クイックリターンミラー１２は発光表示部１６の下方に設けられ、撮影光学系１１はクイックリターンミラー１２の前方に設けられている。
【００１４】
被写体で反射された光束は、撮影光学系１１を介して、クイックリターンミラー１２で反射され、発光表示部１６に導かれ、発光表示部１６を透過し、ペンタプリズム１４、接眼レンズ１５を介してファインダー窓１７に入射される。発光表示部１６から発光された光も、同様にペンタプリズム１４、対物レンズ１５を介して、ファインダー窓１７内に導かれる。クイックリターンミラー１２はレリーズスイッチ（不図示）が押されると、光路上から退避させられ、撮影光学系１１によって導かれた光束は、クイックリターンミラー１２の後方に設けられた撮像素子の撮像面１９（又はフィルム面）等に導かれ、これらを露光する。
【００１５】
図２は、発光表示部１６の断面図を示す。図２に示すように、発光表示部１６は、有機ＥＬ素子２０から構成され、有機ＥＬ素子２０は、透明基板２１と、透明基板２１に対向するように設けられる封止部材２２と、透明基板２１と封止部材２２の間において、陽極２６及び陰極２８で挟持されて構成される有機ＥＬ層２７を備える。透明基板２１及び封止部材２２は、ガラス、プラスチック、又はこれらの複合材料等の透明材料で形成された透明部材である。なお、図２においては、透明基板２１側が接眼側、封止部材２２側が対物側に配置される。
【００１６】
透明基板２１の封止部材２２に対向する下面２１Ｄには、陽極２６、有機ＥＬ層２７、及び陰極２８がこの順で積層され、図２における陰極２８の下方には封止部材２２が設けられる。陽極２６、有機ＥＬ層２７、及び陰極２８は、透明材料から形成され、有機ＥＬ素子２０に入射された光束を透過させることができる。有機ＥＬ層２７は、陽極２６側から順に例えば正孔輸送材料で構成される正孔輸送層、有機発光材料で構成される有機発光層、電子輸送材料で構成される電子輸送層等が積層されて構成される。有機ＥＬ層２７は、陽極２６及び陰極２８間に電圧が印加されることにより、赤、緑、青、又は白色等の色の光を発する。
【００１７】
封止部材２２は、板状に形成されると共に、その外周部に透明基板２１に向かって突出した突出部２３が形成される。突出部２３は、接着剤（不図示）を介して透明基板２１に接着され、これにより透明基板２１と封止部材２２の間には密閉空間２９が形成され、陽極２６、陰極２８、及び有機ＥＬ層２７は密閉空間２９内に配置され、封止部材２２によって封止される。
【００１８】
透明基板２１の下面２１Ｄに対向する封止部材２２の上面２２Ｕは、拡散面として形成される。上面２２Ｕの反対側の面である封止部材２２の下面２２Ｄは、下側に膨らんだフレネルレンズ構造に形成され、正のパワーを有するレンズとして形成される。
【００１９】
被写体から入射された光束は、封止部材２２の下面２２Ｄによって集光させられるように屈折させられ、拡散面である封止部材２２の上面２２Ｕに結像される。この上面２２Ｕは、撮像面１９（又はフィルム面）と光学的に共役な位置に配置されるとともに、結像された光を拡散させて撮影者の眼に入射させる。
【００２０】
封止部材２２の上面２２Ｕを出た拡散光は、陽極２８、有機ＥＬ層２７、陰極２６、及び透明基板２１を透過して、透明基板２１の上面２１Ｕから出射される。なお、有機ＥＬ層２７で発光した光も、同様に陽極２６、透明基板２１を介して有機ＥＬ素子２０の上面２１Ｕから出射される。
【００２１】
本実施形態においては、封止部材２２の光束が透過する一方の面をフレネルレンズ構造として形成すると共に、他方の面を拡散面とすることにより、有機ＥＬ素子２０に焦点板及びフレネルレンズとしての機能を付与することができる。これにより、ファインダー装置１０にピント板を別部材として設ける必要がなくなるので、ファインダー装置の部材点数を減少させ、小型化を図ることができる。また、ファインダー装置１０において、被写体からの光束が透過する部材が少なくなるので、ファインダー装置１０全体の透過率が向上し、観察画像の光量不足を解消することができる。
【００２２】
封止部材２２の上面２２Ｕの拡散面は、例えば封止部材に、拡散面を有する焦点板（光学部材）を接着剤等によって接着して形成する。また、例えば封止部材にガラス、又はＵＶ硬化樹脂、若しくは熱硬化樹脂等の樹脂の透明材料を固着し、これにより拡散面を封止部材に一体的に形成しても良い。樹脂やガラス等の透明材料を封止部材に固着する場合、例えば、金型を封止部材に重なるように配置し、金型と封止部材との間に流動化した樹脂又はガラスを充填した後、樹脂を硬化させ又はガラスを固化させて、拡散面を形成する。この場合、樹脂がＵＶ硬化樹脂である場合、封止部材側からＵＶ光を当てて硬化させることが好ましい。同様に、封止部材２２の下面２２Ｄも例えば、封止部材にフレネルレンズ（光学部材）を接着し、又は樹脂やガラス等の透明材料を固着して形成しても良い。なお、封止部材及び封止部材に接着される光学部材としては、ガラス、プラスチック等の透明部材であれば特にその材質が限定されるものではない。
【００２３】
また、図３に示すように、封止部材２２の上面２２Ｕ及び下面２２Ｄは、モールド成型（例えばガラスモールド）や、エッチング加工により、封止部材２２と一体的に成形しても良い。勿論、上面２２Ｕ及び下面２２Ｄのいずれか一方を、モールド成型、若しくはエッチング加工によって形成し、光学部材を接着して形成し、又は透明材料を固着して形成すると共に、他方がこれら方法のうち異なる方法で形成しても良い。
【００２４】
図４は、本発明の第２の実施形態に係る有機ＥＬ素子を示した断面図である。本実施形態では、封止部材２２の上面２２Ｕが、上側に膨らむフレネルレンズ構造として形成される共に、下面２２Ｄが拡散面として形成される。その他の構成は第１の実施形態と同様である。
【００２５】
図５〜８は、それぞれ第３乃至第６の実施形態を示す。第１及び第２の実施形態では、拡散面及びフレネルレンズ構造の両方が封止部材２２に形成されたが、第３乃至第６の実施形態では、拡散面又はフレネルレンズ構造の一方が、透明基板２１の上面２１Ｕに形成されると共に、他方が封止部材２２の下面２２Ｄ又は上面２２Ｕに形成される。
【００２６】
具体的には第３の実施形態では、図５に示すように、透明基板２１の上面２１Ｕが拡散面として形成されると共に、封止部材の下面２２Ｄが、下方に膨らむフレネルレンズ構造に形成される。第４の実施形態では、図６に示すように、拡散面が透明基板２１の上面２１Ｕに形成されると共に、封止部材の上面２２Ｕに、上方に膨らむフレネルレンズ構造に形成される。
【００２７】
さらに、第５の実施形態では、図７に示すように、透明基板２１の上面２１Ｕが上方に膨らむフレネルレンズ構造として形成されると共に、透明基板２２の下面２２Ｄが拡散面として形成される。また、第６の実施形態では、図８に示すように、透明基板２１の上面２１Ｕが上方に膨らむフレネルレンズ構造として形成されると共に、封止部材２２の上面２２Ｕが拡散面として形成される。
【００２８】
以上の第２乃至第６の実施形態でも、被写体から入射された光束は、フレネルレンズ構造によって集光させられるように屈折させられると共に、拡散面において結像される。そして拡散面は、撮像面１９（又はフィルム面）と光学的に共役な位置に配置されるとともに、結像された光束を拡散させて撮影者の眼に入射させる。したがって、第２乃至第６の実施形態における有機ＥＬ素子２０も、第１の実施形態と同様に、焦点板及びフレネルレンズとして機能を有することができるので、第１の実施形態と同様の効果を奏することができる。
【００２９】
なお第３乃至第６の実施形態において、透明基板２１の上面２１Ｕに設けられる拡散面又はフレネルレンズ構造は、封止部材２２の上面２２Ｕ又は下面２２Ｄと同様に、例えばモールド成型、若しくはエッチング加工によって形成し、光学部材を接着して形成し、又は透明材料を固着して形成する。
【００３０】
図９は、本発明に係る第７の実施形態に係る有機ＥＬ素子の断面図である。第１乃至第６の実施形態では、有機ＥＬ素子２０は、ペンタプリズム１４と別体に設けられていたが、第７の実施形態では有機ＥＬ素子２０がペンタプリズムと一体に形成される。以下第７の実施形態について、詳細に説明する。
【００３１】
本実施形態では、ペンタプリズム１４の下面１４Ｄ（すなわち、入射面）に、陽極２６、有機ＥＬ層２７、及び陰極２８がこの順に積層されるとともに、図９における陰極２８の下方に、ペンタプリズムの下面１４Ｄに対向する封止部材２２が設けられて、有機ＥＬ素子２０が構成される。封止部材２２の突出部２３は接着剤を介してペンタプリズムの下面１４Ｄに接着され、これによりペンタプリズム１４と封止部材２２に間には密閉空間２９が形成され、陽極２６、陰極２８、及び有機ＥＬ層２７は密閉空間２９内に配置され、封止部材２２によって封止される。
【００３２】
第１の実施形態と同様に、封止部材２２の上面２２Ｕは、拡散面として形成されると共に、封止部材２２の下面２２Ｄは、下側に膨らんだフレネルレンズ構造に形成され、正のパワーを有するレンズとして形成される。したがって、本実施形態でも、有機ＥＬ素子２０に焦点板及びフレネルレンズとしての機能を付与することができ、第１の実施形態と同様の効果を有することができる。勿論、第７の実施形態でも、上面２２Ｕにフレネルレンズ構造が形成され、下面２２Ｄに拡散面が形成されても良い。
【００３３】
なお、第１乃至第７の実施形態では、フレネルレンズ構造に形成された面は、正のパワーを有するように形成されれば良く、例えば凸レンズ形状に形成されても良い。但し、凸レンズ形状にした場合、封止部材２２の肉厚が厚くなるので、フレネル構造であるほうが好ましい。
【００３４】
さらに、第１乃至第７の実施形態においては、図２〜９に示すように、有機ＥＬ層２７は透明基板２１の下面２１Ｄ（又はペンタプリズムの下面１４Ｄ）のほぼ全域に亘って設けられるが、勿論部分的に設けられても良い。
【００３５】
また、陽極２６、及び（又は）陰極２８の一部又は全部は、非透明電極として形成されていても良い。この場合、非透明電極部分は、被写体からの光が通過する光路の外側に設けられていたほうが良く、すなわち、非透明電極部分はファインダー窓１７から発光表示部１６を観察したとき、被写体を観察可能な撮影視野領域の外側に設けられていたほうが良い。
【００３６】
さらに、本発明においては、例えば図２に示すように、下側（すなわち、対物側）にフレネルレンズ構造が、上側（すなわち、接眼側）に拡散面が設けられたほうが良い。このような構成によれば、フレネルレンズの同心円が、観察者からは観察されにくくなるからである。但し、対物側に拡散面が、接眼側にフレネルレンズ構造が設けられたほうが、拡散面で拡散される光束を効率よくペンタプリズムに導くことができるので、より明るい被写体像を観察することができる。
【００３７】
第１乃至第７の実施形態において、発光表示部１６の上側に設けられるプリズムは、ペンタプリズム１４に限定されず、他のプリズムであっても良い。また、第１及び第６の実施形態では、ペンタミラー、サイドスイングミラー等のプリズム以外の光学部材であっても良い。
【図面の簡単な説明】
【００３８】
【図１】カメラのファインダー装置の平面図である。
【図２】第１の実施形態における有機ＥＬ素子の断面図である。
【図３】第１の実施形態における有機ＥＬ素子を別の製造方法で製造した場合における断面図である。
【図４】第２の実施形態における有機ＥＬ素子の断面図である。
【図５】第３の実施形態における有機ＥＬ素子の断面図である。
【図６】第４の実施形態における有機ＥＬ素子の断面図である。
【図７】第５の実施形態における有機ＥＬ素子の断面図である。
【図８】第６の実施形態における有機ＥＬ素子の断面図である。
【図９】第７の実施形態における有機ＥＬ素子を示すための断面図である。
【符号の説明】
【００３９】
１０  ファインダー装置
１４  ペンタプリズム
１６  発光表示部
２０  有機ＥＬ素子
２１  透明基板
２１Ｄ  透明基板の下面（一方の面）
２１Ｕ  透明基板の上面（反対側の面）
２２  封止部材
２２Ｄ  封止部材の下面（反対側の面）
２２Ｕ  封止部材の上面（対向面）
２７  有機ＥＬ層
【図１】
2008010317.tif 000003
【図２】
2008010317.tif 000004
【図３】
2008010317.tif 000005
【図４】
2008010317.tif 000006
【図５】
2008010317.tif 000007
【図６】
2008010317.tif 000008
【図７】
2008010317.tif 000009
【図８】
2008010317.tif 000010
【図９】
2008010317.tif 000011